(57)【特許請求の範囲】
【請求項１】
吸込圧を発生する電動送風機と、集塵した塵埃を収容する集塵袋を有する掃除機本体と、掃除機本体の下部に設けられ、塵埃を集塵する床ノズルと、前記床ノズルの下面から前記電動送風機の排気流を吹き出す吹出口と、前記床ノズルの下面で、前記吹出口の外周に設けた浮上板と、前記電動送風機の排気流を前記床ノズルの吹出口に導く吹出流路と、前記床ノズルを移動可能にするローラーと、このローラーを回転自在に支持するローラー支持部材と、前記ローラーを上下に昇降可能とすべく前記ローラー支持部材を保持する保持部材と、前記ローラー支持部材に取り付けられ、前記ローラーが常時下方にいくよう作用する弾性部材とを備え、前記ローラー支持部材は排気流の圧力を受ける受圧部を有し、この受圧部は筒状の伸縮部材により前記吹出流路と気密に導通されており、受圧部に排気流の圧力が加わるとローラーが上方向に移動し、受圧部に排気流の圧力が加わらないと弾性部材によってローラーが下方に強制的に移動する構成としたアップライト型電気掃除機。
【請求項２】
吸込圧を発生する電動送風機と、集塵した塵埃を収容する集塵袋を有する掃除機本体と、掃除機本体の下部に設けられ、塵埃を集塵する床ノズルと、前記床ノズルの下面から前記電動送風機の排気流を吹き出す吹出口と、前記床ノズルの下面で、前記吹出口の外周に設けた浮上板と、前記電動送風機の排気流を前記床ノズルの吹出口に導く吹出流路と、前記床ノズルを移動可能にするローラーと、前記浮上板を上下に昇降可能とすべく浮上板を保持する保持部材と、前記浮上板に取り付けられ、浮上板が常時上方にいくよう作用する弾性部材とを備え、浮上板には被掃除面と反対側に排気流の圧力を受ける受圧部を有し、この受圧部は筒状の伸縮部材により前記吹出流路と気密に導通されており、受圧部に排気流の圧力が加わると浮上板が下方向に移動し、受圧部に排気流の圧力が加わらないと弾性部材によって浮上板が上方に強制的に移動する構成としたアップライト型電気掃除機。
【発明の詳細な説明】
【０００１】
【産業上の利用分野】
本発明は移動が軽くできるアップライト型電気掃除機に関するものである。
【０００２】
【従来の技術】
以下、従来の技術を図３・図４を用いて説明する。図３は従来のアップライト型電気掃除機の概略断面図、図４は床ノズルを底面から見た平面図である。
【０００３】
図に示すように、本体１は、電動送風機２・集塵袋３を内包している。本体１には、電動送風機２・集塵袋３を覆う本体カバー４と、集塵袋３を出し入れするための蓋５を設けている。本体１の上部には使用者が移動に用いる把手６を設けている。また本体１の下部には、掃除面の塵埃を吸い込む床ノズル７を設けている。
【０００４】
床ノズル７には、掃除面に対して略平行な平面を有している浮上板８を設けており、電動送風機２の排気流９を吹出口１０から吹き出して、掃除機の移動を容易にしている。１１は前記電動送風機２の排気流９を吹出口１０まで導いている吹出流路である。１２は床ノズル７に設けている塵埃を吸い込むための主吸込口で、被掃除面である絨毯面で回転する回転ブラシ１３を有している。１４はこの塵埃を集塵袋３に導くための吸込流路、１５は集塵袋３の入口である。また、浮上板８の外周には浮上板８から吹き出す塵埃を吸い込むための吸込口１６が設けられている。
【０００５】
以上の構成で、操作が軽くて使い勝手の良いアップライト型電気掃除機として作用するものである。すなわち、使用者が把手６に設けているスイッチをオンして電動送風機２の作動を開始すると、吸込流１７が発生して、床ノズル７の主吸込口１２から被掃除面の塵埃を吸い込んで、吸込流路１４を介して本体１内の集塵袋３まで導くものである。被掃除面の種類が絨毯である場合には、回転ブラシ１３が回転して掻き上げた絨毯面の塵埃を吸い込むものである。このとき電動送風機２の排気流９は、吹出流路１１から浮上板８のほぼ中央部に設けている吹出口１０から吹き出されるようになっている。
【０００６】
浮上板８は、被掃除面に対して略平行な平面を有しており、前記吹出流はこの平面に沿って吹き出される形となるものである。従って浮上板８には、被掃除面から浮上する力が作用することになる。つまり、使用者の掃除機の操作がこの浮上力によって非常に軽いものとなり、前後方向は勿論、左右方向への移動も極めて容易になるものである。
【０００７】
【発明が解決しようとする課題】
しかしながら上記従来の構成のアップライト型電気掃除機は、下記の課題を有している。
【０００８】
１．段差のある被掃除面を掃除する際に、被掃除面と浮上板８との間に大きな隙間ができてしまい、浮上する作用がなくなり、掃除機の操作が困難になる。
【０００９】
２．電動送風機２の通電をオフにしたまま掃除機そのものを持ち上げないで移動する際に、浮上板８が被掃除面と接地しているので、ひきずる様な恰好になりスムーズに移動できない。
【００１０】
３．掃除機の電源コードをコンセントから抜いて持ち運ぶ際に、掃除機を持ち上げて移動するのは重くて、掃除機の移動性が悪かった。
【００１１】
４．被掃除面が畳や床など絨毯以外の場合、浮上板８と被掃除面との隙間が非常に小さいため、小さな砂粒などが噛み込んだりして被掃除面を傷をつけてしまう。
【００１２】
本発明はこのような課題を解決しようとするもので、段差のある被掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、被掃除面が畳や床など絨毯以外の場合でも、被掃除面に傷をつけることなく安心して使えるアップライト型電気掃除機を提供するのを目的とする。
【００１３】
【課題を解決するための手段】
上記目的を達成するための本発明の第一の手段は、吸込圧を発生する電動送風機と、集塵した塵埃を収容する集塵袋を有する掃除機本体と、掃除機本体の下部に設けられ、塵埃を集塵する床ノズルと、前記床ノズルの下面から前記電動送風機の排気流を吹き出す吹出口と、前記床ノズルの下面で、前記吹出口の外周に設けた浮上板と、前記電動送風機の排気流を前記床ノズルの吹出口に導く吹出流路と、前記床ノズルを移動可能にするローラーと、このローラーを回転自在に支持するローラー支持部材と、前記ローラーを上下に昇降可能とすべく前記ローラー支持部材を保持する保持部材と、前記ローラー支持部材に取り付けられ、前記ローラーが常時下方にいくよう作用する弾性部材とを備え、前記ローラー支持部材は排気流の圧力を受ける受圧部を有し、この受圧部は筒状の伸縮部材により前記吹出流路と気密に導通されており、受圧部に排気流の圧力が加わるとローラーが上方向に移動し、受圧部に排気流の圧力が加わらないと弾性部材によってローラーが下方に強制的に移動する構成としたものである。
【００１４】
本発明の第二の手段は、吸込圧を発生する電動送風機と、集塵した塵埃を収容する集塵袋を有する掃除機本体と、掃除機本体の下部に設けられ、塵埃を集塵する床ノズルと、前記床ノズルの下面から前記電動送風機の排気流を吹き出す吹出口と、前記床ノズルの下面で、前記吹出口の外周に設けた浮上板と、前記電動送風機の排気流を前記床ノズルの吹出口に導く吹出流路と、前記床ノズルを移動可能にするローラーと、前記浮上板を上下に昇降可能とすべく浮上板を保持する保持部材と、前記浮上板に取り付けられ、浮上板が常時上方にいくよう作用する弾性部材とを備え、浮上板には被掃除面と反対側に排気流の圧力を受ける受圧部を有し、この受圧部は筒状の伸縮部材により前記吹出流路と気密に導通されており、受圧部に排気流の圧力が加わると浮上板が下方向に移動し、受圧部に排気流の圧力が加わらないと弾性部材によって浮上板が上方に強制的に移動する構成としたものである。
【００１５】
【作用】
本発明の第一の手段は、床ノズルを前後に操作可能にするローラーが上下に昇降可能となるように保持されており、ローラー支持部材には排気流の圧力を受ける受圧部が設けられ、この受圧部は筒状の伸縮部材により前記吹出流路と気密に導通されており、受圧部に排気流の圧力が加わるとローラーが上方向に移動し、受圧部に排気流の圧力が加わらないと弾性部材によってローラーが下方に強制的に移動する。
【００１６】
即ち排気流を利用することで、ローラーを昇降させることができ、ローラーが上方にあるときは浮上力を利用した掃除機となり、ローラーが下方にあるときはローラーを利用した通常の掃除機となる。このように、必要に応じてローラーを利用することができるので、段差のある被掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、被掃除面が畳や床など絨毯以外の場合でも、被掃除面に傷をつけることなく安心して使える。また、モーター等の駆動源を要しないので騒音の少ない、即応性のあるローラーの昇降動作を可能にするとともに、低コストで実現できるよう作用するものである。
【００１７】
本発明の第二の手段は、床ノズルを前後に操作可能にするローラーが設けられており、浮上板が上下に昇降可能となるよう保持されており、浮上板には被掃除面と反対側に排気流の圧力を受ける受圧部が設けられ、この受圧部は筒状の伸縮部材により前記吹出流路と気密に導通されており、受圧部に排気流の圧力が加わると浮上板が下方向に移動し、受圧部に排気流の圧力が加わらないと弾性部材によって浮上板が上方に強制的に移動する。
【００１８】
即ち排気流を利用することで、浮上板を昇降させることができ、浮上板が下方にあるときは浮上力を利用した掃除機となり、浮上板が上方にあるときはローラーを利用した通常の掃除機となる。このように、必要に応じてローラーを利用することができるので、段差のある被掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、被掃除面が畳や床など絨毯以外の場合でも、被掃除面に傷をつけることなく安心して使える。また、モーター等の駆動源を要しないので騒音の少ない、即応性のあるローラーの昇降動作を可能にするとともに、低コストで実現できるよう作用するものである。
【００１９】
【実施例】
（実施例１）
本発明の第一の実施例を図１を用いて説明する。図１は本実施例のアップライト型電気掃除機の概略断面図である。本体１８は、電動送風機１９・集塵袋２０を内包している。本体１８には、電動送風機１９・集塵袋２０を覆う本体カバー２１と、集塵袋２０を出し入れするための蓋２２を設けている。本体１８の上部には使用者が移動に用いる把手２３を設けている。また本体１８の下部には、被掃除面の塵埃を吸い込む床ノズル２４を設けている。床ノズル２４には、被掃除面に対して略平行な平面を有している浮上板２５を設けており、電動送風機１９の排気流２６を吹出口２７から吹き出して、掃除機の移動を容易にしている。
【００２０】
２８は、前記電動送風機１９の排気流２６を吹出口２７まで導いている吹出流路である。２９は床ノズル２４に設けている塵埃を吸い込むための主吸込口で、被掃除面である絨毯面で回転する回転ブラシ３０を有している。３１は塵埃を集塵袋２０に導くための吸込流路、３２は集塵袋２０の入口である。また、浮上板２５の外周には浮上板２５から吹き出す塵埃を吸い込むための吸込口３３が設けられている。
【００２１】
３４は床ノズル２４を前後に操作可能にするローラー、３５はローラー３４を回転自在に支持するローラー支持部材、３６はローラー３４を上下に昇降可能とすべくローラー支持部材３５を保持する保持部材、３７は弾性部材でローラー支持部材３５に取り付けられ、ローラー３４が常時下方にいくよう作用する。３８はローラー支持部材３５に設けられた受圧部で、排気流の圧力を受け、この受圧部３８は筒状の伸縮部材３９により空気室４０を介して吹出流路２８と気密に導通されている。また、４１は空気室４０の一部に設けられた開口部である。
【００２２】
以上の構成で、従来例と異なる部分についてのみ説明する。電動送風機１９の排気流２６は吹出流路２８を経て空気室４０に入り、この後、吹出口２７から被掃除面に吹き付けられる。このとき、排気流２６は開口部４１を通って受圧部３８を押し上げる。この作用により、ローラー支持部材３５は保持部材３６を軸として上方に回転移動し、ストッパー（図示せず）にあたって停止する。これに伴って、ローラー３４は被掃除面から離れたところで静止する。なお、ここでは回転移動用の保持部材の構成を例に挙げたが、摺動移動用の保持部材の構成であっても同様の作用が得られる。
【００２３】
次に、電動送風機１９の停止に伴い、排気流２６がなくなると、受圧部３８に作用する力はなくなり、弾性部材３７によって、ローラー支持部材３５は保持部材３６を軸として下方に回転移動し、ストッパー（図示せず）にあたって停止する。これに伴って、ローラー３４は被掃除面に接地し、浮上板２５を押し上げ被掃除面から離す。なお、ここでは電動送風機１９の停止により、排気流２６を受圧部３８に送るのを止めたが、吹出流路２８や空気室４０に切換弁を設けて、排気流を機外へ排出する構成にすると、電動送風機１９を動作させたまま被掃除面への排気流の吹き出しを止めることができるので、吸い込みのみの通常の掃除機として使用することができる。
【００２４】
このように、排気流を利用することで、ローラー３４を昇降させることができ、ローラー３４が上方にあるときは浮上力を利用した掃除機となり、ローラー３４が下方にあるときはローラー３４を利用した通常の掃除機となる。即ち、必要に応じてローラー３４を利用することができるので、段差のある被掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、被掃除面が畳や床など絨毯以外の場合でも、被掃除面に傷をつけることなく安心して使える。また、モーター等の駆動源を要しないので騒音の少ない、即応性のあるローラーの昇降動作を可能にするとともに、低コストで実現できる。
【００２５】
（実施例２）
次に、本発明の第二の実施例を、図２を用いて説明する。図２は本実施例のアップライト型電気掃除機の概略断面図である。本体４２は、電動送風機４３・集塵袋４４を内包している。本体４２には、電動送風機４３・集塵袋４４を覆う本体カバー４５と、集塵袋４４を出し入れするための蓋４６を設けている。本体４２の上部には使用者が移動に用いる把手４７を設けている。また本体４２の下部には、掃除面の塵埃を吸い込む床ノズル４８を設けている。床ノズル４８には、被掃除面に対して略平行な平面を有している浮上板４９を設けており、電動送風機４３の排気流５０を吹出口５１から吹き出して、掃除機の移動を容易にしている。５２は、前記電動送風機４３の排気流５０を吹出口５１まで導いている吹出流路である。５３は床ノズル４８に設けている塵埃を吸い込むための主吸込口で、絨毯面で回転する回転ブラシ５４を有している。
【００２６】
５５はこの塵埃を集塵袋４４に導くための吸込流路で柔軟な材質でできている。５６は集塵袋４４の入口である。また、浮上板４９の外周には浮上板４９から吹き出す塵埃を吸い込むための吸込口５７が設けられている。５８は床ノズルを前後に操作可能にするローラー、５９はローラー５８を回転自在に支持するローラー支持部材、６０は浮上板４９を上下に昇降可能とすべく保持する保持部材、６１は弾性部材でローラー支持部材５９に取り付けられ、浮上板４９が常時上方にいくよう作用する。浮上板４９には清掃面と反対側に排気流の圧力を受ける受圧部６２が設けられている。この受圧部６２は筒状の伸縮部材６３により空気室６４を介して吹出流路５２と気密に導通されている。
【００２７】
以上の構成で、従来例と異なる部分についてのみ説明する。電動送風機４３の排気流５０は吹出流路５２を経て、空気室６４に入り、この後、吹出口５１から被掃除面に吹き付けられる。このとき、排気流５０は受圧部６２を押し下げる。この作用により、浮上板４９は保持部材６０を軸として下方に回転移動し、ストッパー（図示せず）にあたって停止、即ち被掃除面と接地状態となる。またこれに伴って、ローラー５８は被掃除面から離れたところで静止する。なお、ここでは回転移動用の保持部材の構成を例に挙げたが、摺動移動用の保持部材の構成であっても同様の作用が得られる。
【００２８】
次に、電動送風機４３の停止に伴い、排気流５０がなくなると、受圧部６２に作用する力はなくなり、弾性部材６１によって、浮上板４９は保持部材６０を軸として上方に回転移動し、ストッパー（不図示）にあたって停止、即ち被掃除面から離れる。またこれに伴って、ローラー５８は被掃除面と接地状態となる。なお、ここでは電動送風機１９の停止により、排気流２６を受圧部３８に送るのを止めたが、吹出流路２８や空気室４０に切換弁を設けて、排気流を機外へ排出する構成にすると、電動送風機を動作させたまま被掃除面への排気流の吹き出しを止めることができるので、吸い込みのみの通常の掃除機として使用することができる。
【００２９】
このように、排気流を利用することで、浮上板４９を昇降させることができ、ローラー５８が上方にあるときは浮上力を利用した掃除機となり、ローラー５８が下方にあるときはローラー５８を利用した通常の掃除機となる。即ち、必要に応じてローラー５８を利用することができるので、段差のある被掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、被掃除面が畳や床など絨毯以外の場合でも、被掃除面に傷をつけることなく安心して使える。また、モーター等の駆動源を要しないので騒音の少ない、即応性のあるローラー５８の昇降動作を可能にするとともに、低コストで実現できる。
【００３０】
【発明の効果】
本発明の第一の手段は、床ノズルを移動可能にするローラーと、ローラーを回転自在に支持するローラー支持部材と、ローラーを上下に昇降可能とすべくローラー支持部材を保持する保持部材と、前記ローラー支持部材に取り付けられ、ローラーが常時下方にいくよう作用する弾性部材とを備え、前記ローラー支持部材は排気流の圧力を受ける受圧部を有し、この受圧部は筒状の伸縮部材により前記吹出流路と気密に導通されており、受圧部に排気流の圧力が加わるとローラーが上方向に移動し、受圧部に排気流の圧力が加わらないと弾性部材によってローラーが下方に強制的に移動する構成としてるので、ローラーを昇降させることができ、ローラーが上方にあるときは浮上力を利用した掃除機となり、ローラーが下方にあるときはローラーを利用した通常の掃除機となる。
【００３１】
このように、必要に応じてローラーを利用することができるので、段差のある掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、掃除面が畳や床など絨毯以外の場合でも、掃除面に傷をつけることなく安心して使える。また、モーター等の駆動源を要しないので騒音の少ない、即応性のあるローラーの昇降動作を可能にするとともに、低コストで実現できるアップライト型電気掃除機を実現するものである。
【００３２】
本発明の第二の手段は、床ノズルの移動を可能にするローラーと、浮上板を上下に昇降可能とすべく浮上板を保持する保持部材と、浮上板に取り付けられ、浮上板が常時上方にいくよう作用する弾性部材とを備え、浮上板には被掃除面と反対側に排気流の圧力を受ける受圧部を有し、この受圧部は筒状の伸縮部材により吹出流路と気密に導通されており、受圧部に排気流の圧力が加わると浮上板が下方向に移動し、受圧部に排気流の圧力が加わらないと弾性部材によって浮上板が上方に強制的に移動する構成としているので、浮上板を昇降させることができ、浮上板が下方にあるときは浮上力を利用した掃除機となり、浮上板が上方にあるときはローラーを利用した通常の掃除機となる。
【００３３】
このように、必要に応じてローラーを利用することができるので、段差のある被掃除面を掃除する際でも掃除機の操作を容易にし、また、電動送風機の通電をオフにしたり、掃除機の電源コードをコンセントから抜いても、スムーズに移動でき、かつ軽やかに持ち運ぶことができ、また、掃除面が畳や床など絨毯以外の場合でも、被掃除面に傷をつけることなく安心して使える。また、モーター等の駆動源を要しないので騒音の少ない、即応性のあるローラーの昇降動作を可能にするとともに、低コストで実現できる。
【図面の簡単な説明】
【図１】本発明の第一の実施例におけるアップライト型電気掃除機の断面図
【図２】本発明の第二の実施例におけるアップライト型電気掃除機の断面図
【図３】従来のアップライト型電気掃除機の断面図
【図４】同床ノズルの平面図
【符号の説明】
１８、４２  掃除機本体
１９、４３  電動送風機
２４、４８  床ノズル
２５、４９  浮上板
２７、５１  吹出口
２８、５２  吹出流路
３４、５８  ローラー
３５、５９  ローラー支持部材
３６、６０  保持部材
３７、６１  弾性部材
３８、６２  受圧部
３９、６３  筒状の伸縮部材
【図１】
0003702488.tif 000002
【図２】
0003702488.tif 000003
【図３】
0003702488.tif 000004
【図４】
0003702488.tif 000005